(57)【要約】【課題】従来技術における太陽光発電は太陽光を直接太陽電池に受光して太陽光発電を行っているので、太陽光などが遮られると太陽光発電が出来なくなり、物陰などで発電する事が出来ないという課題がある。【解決手段】本発明は、ＰＤ線やＰＤシートについての発明であり、これらに記載のＰＤ線各種やＰＤ光学シートを課題解決の手段とし、ＰＤ発電ユニットの構造を構築とする手段とします。また、ＰＤ線やＰＤ光学シートを手段として介在させるので、発電ユニットを日陰や物陰に配置して発電可能とする手段となっています。【選択図】図１
2020048413.tif 000002
【特許請求の範囲】
【請求項１】
太陽光や照明光などの光線により起電する発電ユニットであり、ＰＤ伝送部およびＰＤ放散部をそれぞれ少なくとも１カ所以上を有するＰＤ線を少なくとも１本以上を構成要素とする特徴を有するＰＤ発電ユニットの構造。
【請求項２】
太陽光や照明光などの光線により起電する発電ユニットであり、ＰＤ光学シートを介在させ、ＰＤ光学シートより放散される太陽光や照明光を受光して発電する特徴を有する請求項１に記載のＰＤ発電ユニットの構造。
【請求項３】
太陽光や照明光などの光線により起電する発電ユニットであり、介在するＰＤ光学シートの表面と光発電の太陽電池等の表面は、密着あるいは空隙を挟んで配置される特徴を有する請求項１および２のいずれかに記載のＰＤ発電ユニットの構造。
【請求項４】
太陽光や照明光などの光線により起電する発電ユニットであり、少なくともＰＤ光学シートの１つ以上の端面に当該ＰＤ線を配置するＶ字状などの凹みを配備するＰＤ光学シートを少なくとも１枚以上を構成要素とする特徴を有する請求項１より３のいずれかに記載のＰＤ発電ユニットの構造。
【請求項５】
太陽光や照明光などの光線により起電する発電ユニットであり、ＰＤ光学シートの各端面あるいは各端面と凹みに配備するＰＤ線を覆う内面側にミラー加工施工面を施した側面ケースを少なくとも１つの端面以上に配備し、また、ＰＤ光学シートの少なくとも表裏の一面以上をミラー加工施工面を施した表ケースあるいは裏ケースのいずれか１つ、あるいは双方を配備しない特徴を有する請求項１より４のいずれかに記載のＰＤ発電ユニットの構造。
【請求項６】
ＰＤ光学シートとＰＤ線を使用して太陽光や照明光などの光線により起電するＰＤ発電ユニットであり、少なくとも１つ以上のＰＤ光学シートの表裏の少なくとも１面側あるいは表裏の双方側に光発電の太陽電池等を配備する特徴を有する請求項１より５のいずれかに記載のＰＤ発電ユニットの構造。
【請求項７】
太陽光や照明光などの光線により起電するＰＤ発電ユニットと太陽光や照明光などの光線を集光する集光部を有し、集光部とＰＤ発電ユニットは少なくとも１本以上のＰＤ伝送部同様の光ファイバーにて接続して、ＰＤ発電ユニットに太陽光や照明光などの光線を伝送する構造の特徴を有する請求項１より６のいずれかに記載のＰＤ発電ユニットの構造。
【請求項８】
太陽光や照明光などの光線により起電するＰＤ発電ユニットは、太陽光あるいは照明光などの光線が照射される場所に配置される特徴を有する特徴を有する請求項１より７のいずれかに記載のＰＤ発電ユニットの構造。
【請求項９】
太陽光や照明光などの光線により起電するＰＤ発電ユニットにおいて、少なくとも一つ以上のＰＤ発電ユニットは、太陽光あるいは照明光などの光線が直接照射されることのない場所に配置される特徴を有し、その配置場所は、物陰や容器の中に配置可能な特徴を有し、さらに液体中に埋没させる配置場所や固体の中に埋め込んだ配置場所に配置可能な特徴を有する請求項１より８のいずれかに記載のＰＤ発電ユニットの構造。
【請求項１０】
太陽光や照明光などの光線により起電するＰＤ発電ユニットであり、少なくとも一つ以上のＰＤ発電ユニットは、土中や構造物の壁内部などの光の到達不可能な場所に配置可能な構造を有する請求項１より９のいずれかに記載のＰＤ発電ユニットの構造。
【請求項１１】
太陽光や照明光などの光線により起電するＰＤ発電ユニットであり、少なくとも一つ以上のＰＤ発電ユニットは、２層以上の積層状に積み重ねて配置できる構造を有する請求項１より１０のいずれかに記載のＰＤ発電ユニットの構造。
【請求項１２】
集光器をガードレールやトンネルなどの表面や壁面に配備し、集光部はヘッドライトの光線を集光してＰＤ発電ユニットに光線を送る集光構造に特徴を有する請求項１より１１のいずれかに記載のＰＤ発電ユニットの構造。
【請求項１３】
ＰＤ発電ユニットの配置場所と集光する場所を離して配置可能な特徴を有する請求項１より１２のいずれかに記載のＰＤ発電ユニットの構造。
【請求項１４】
１枚のＰＤ光学シートの全体の形状は、円形や楕円形など、あるいは三角形や矩形などの多角形の断面を有した板状あるいは柱状の形状を有し、各端面の形状はＶ字状の凹あるいはＶ字状の凸の形状を有し、１枚あるいは複数枚を連結させたＰＤ光学シートをＰＤ発電ユニットの構成要素とする特徴を有する請求項１より１３のいずれかに記載のＰＤ発電ユニットの構造。
【請求項１５】
１枚のＰＤ光学シートの全体の形状は、円形や楕円形など、あるいは三角形や矩形などの多角形の断面を有した板状あるいは柱状の形状を有し、各端面の形状はＶ字状の凹あるいはＶ字状の凸の形状を有し、凹部に凸部を嵌合させて複数枚を連結するＰＤ光学シートをＰＤ発電ユニットの構成要素とする特徴を有する請求項１より１４のいずれかに記載のＰＤ発電ユニットの構造。
【請求項１６】
複数枚を連結して大きな１枚化させたＰＤ光学シートの最外周の各端面には、内面にミラー加工を施した端面カバーを配備してＰＤ光学シートの端面より内部に入光した光線をＰＤ発電ユニット外部に漏らさない様にした特徴を有する請求項１より１５のいずれかに記載のＰＤ発電ユニットの構造。
【発明の詳細な説明】
【技術分野】
【０００１】
本発明は、全ての特許文献１より１９に記載の文献に適用します。また、全ての特許文献記載内容を適用応用や引用を致します。
【０００２】
太陽光ならびに照明光などを間接的に受光して発電を行うＰＤ光学シート応用のＰＤ発電ユニットの構造に関する。
【０００３】
ＰＤ伝送部およびＰＤ放散部をそれぞれ少なくとも１カ所以上を有するＰＤ線を少なくとも１本以上を構成要素とする特徴を有するＰＤ発電ユニットの構造に関する。
【０００４】
ＰＤ光学シートを介在させ、ＰＤ光学シートより放散される太陽光や照明光を受光して発電する特徴を有するＰＤ発電ユニットの構造に関する。
【０００５】
介在するＰＤ光学シートの表面と光発電の太陽電池等の表面は、密着あるいは空隙を挟んで配置される特徴を有するＰＤ発電ユニットの構造に関する。
【０００６】
少なくともＰＤ光学シートの１つ以上の端面に当該ＰＤ線を配置するＶ字状などの凹みを配備するＰＤ光学シートを少なくとも１枚以上を構成要素とする特徴を有するＰＤ発電ユニットの構造にかんする。
【０００７】
ＰＤ光学シートの各端面あるいは各端面と凹みに配備するＰＤ線を覆う内面側にミラー加工施工面を施した側面ケースを少なくとも１つの端面以上に配備し、また、ＰＤ光学シートの少なくとも表裏の一面以上をミラー加工施工面を施した表ケースあるいは裏ケースのいずれか１つ、あるいは双方を配備しない特徴を有するＰＤ発電ユニットの構造に関する。
【０００８】
少なくとも１つ以上のＰＤ光学シートの表裏の少なくとも１面側あるいは表裏の双方側に光発電の太陽電池等を配備する特徴を有するＰＤ発電ユニットの構造に関する。
【０００９】
太陽光や照明光などの光線により起電するＰＤ発電ユニットと太陽光や照明光などの光線を集光する集光部を有し、集光部とＰＤ発電ユニットは少なくとも１本以上のＰＤ伝送部同様の光ファイバーにて接続して、ＰＤ発電ユニットに太陽光や照明光などの光線を伝送する構造の特徴を有するＰＤ発電ユニットの構造に関する。
【００１０】
太陽光あるいは照明光などの光線が照射される場所に配置される特徴を有するＰＤ発電ユニットの構造に関する。
【００１１】
少なくとも一つ以上のＰＤ発電ユニットは、太陽光あるいは照明光などの光線が照射されることのない場所に配置される特徴を有し、その配置場所は、物陰や容器の中に配置可能な特徴を有し、さらに液体中に埋没させる配置場所や固体の中に埋め込んだ配置場所に配置可能な特徴を有するＰＤ発電ユニットの構造に関する。
【００１２】
少なくとも一つ以上のＰＤ発電ユニットは、土中や構造物の壁内部などの光の到達不可能な場所に配置可能な構造を有するＰＤ発電ユニットの構造に関する。
【００１３】
少なくとも一つ以上のＰＤ発電ユニットは、２層以上の積層状に積み重ねて配置できる構造を有するＰＤ発電ユニットの構造に関する。
【００１４】
ガードレールやトンネルなどの表面や壁面に配備し、集光部はヘッドライトの光線を集光してＰＤ発電ユニットに光線を送る集光構造に特徴を有するＰＤ発電ユニットの構造に関する。
【００１５】
１枚のＰＤ光学シートの全体の形状は、矩形あるいは多角形を有し、各端面の形状はＶ字状の凹あるいはＶ字状の凸の形状を有し、１枚あるいは複数枚を連結させたＰＤ光学シートの形状と連結構造に関する。
【００１６】
１枚のＰＤ光学シートの全体の形状は、矩形あるいは多角形を有し、各端面の形状はＶ字状の凹あるいはＶ字状の凸の形状を有し、凹部に凸部を嵌合させて複数枚を連結するＰＤ光学シートの嵌合構造に関する。
【００１７】
複数枚を連結して大きな１枚化させたＰＤ光学シートの最外周の各端面には、内面にミラー加工を施した端面カバーを配備してＰＤ光学シートの端面より内部に入光した光線を外部に漏らさない様にしたＰＤ光学シートの構造ならびにＰＤ発電ユニットの構造に関する。
【背景技術】
【００１８】
従来技術における太陽光発電では、太陽光を直接受光して太陽電池などで発電を行っている。
【００１９】
また、ＰＤ工学シートを介在させた発電ユニットは見当たらない。
【００２０】
また、ＰＤ線を応用した発電ユニットは見当たらない。
【先行技術文献】
【特許文献】
【００２１】
【特許文献１】特願２０１７−０９２０５９  始まり
【特許文献２】特願２０１７−１００４３７  追加
【特許文献３】特願２０１７−１１５５１８  追加２
【特許文献４】特願２０１７−１４３１４１  追加３
【特許文献５】特願２０１７−２０３００６  追加４
【特許文献６】特願２０１７−２０８６９８  追加５
【特許文献７】特願２０１８−０００９０１  追加６
【特許文献８】特願２０１８ー０８７９３０  追加７
【特許文献９】特願２０１８−１２０３１０    ＰＤ８
【特許文献１０】特願２０１８−１２０３１５  ＰＤ１０
【特許文献１１】特願２０１８−１７３１４６  ＰＤ１１
【特許文献１２】特願２０１８−１９０５３０  ＰＤ１２
【特許文献１３】特願２０１８−２０２３８２  ＰＤ１３
【特許文献１４】特願２０１８−２０７８２４  ＰＤ１４
【特許文献１５】特願２０１８−２１９８３４  ＰＤ１５ＳＨ１
【特許文献１６】特願２０１９−０８７２１６  ＰＤ１６ＳＨ２
【特許文献１７】特願２０１９−１１５９４８  ＰＤ１７ＳＨ３
【特許文献１８】特願２０１９−１２２０９５  ＰＤ１８ＳＨ４ＫＡＩ
【特許文献１９】特願平８−２９２１７８  光線集束構造
【発明の概要】
【発明が解決しようとする課題】
【００２２】
背景技術を鑑みて、従来技術における太陽光発電は太陽光を直接太陽電池に受光して太陽光発電を行っているので、太陽光などが遮られると太陽光発電が出来なくなり、物陰などで発電する事が出来ないと言う課題がある。
【００２３】
また、従来技術では、物陰などで太陽光の遮られた部分では発電が不可能であった。この不可能を可能にする発電ユニットの構築を課題とする。
【００２４】
従来技術の太陽光発電では、太陽電池を平面状に敷地いっぱいに並べて発電する方法しかなく、太陽電池の裏側は無駄な空間となっているので、この空間の有効利用を課題となっている。
【００２５】
１枚のＰＤ光学シートを容易に接続あるいは連結する手段がないので連結手段などが求められている課題がある。
【００２６】
ＰＤ光学シートにおいて、製造上大きな面積を有する光学シートは製造が従来技術では困難であり、大きな面積を有するＰＤ光学シートが求められている課題がある。
【００２７】
また、容易に大きな面積のＰＤ光学シートを構築手段が無いという問題があり、問題解決手段の構築を課題とする。
【００２８】
さらに、大きな面積のＰＤ光学シートの最外周囲の端面よりＰＤ光学シートに入光した光線が外部に漏洩する問題があり、問題解決手段の構築を課題とする。
【課題を解決するための手段】
【００２９】
本発明では、特許文献１９に記載の形状をした光線を集光する集光器を手段の一例とします。また、其の他の効率よく集光出来る形状や構造を有する集光器を集光の手段としても良い。
【００３０】
特許文献１より１８は、ＰＤ線やＰＤシートについての文献であり、発明者の創案によるものです。これらに記載のＰＤ線各種やＰＤ光学シートを課題解決の手段とします。
【００３１】
また、これらのＰＤ線やＰＤ光学シートをＰＤ発電ユニットの構造を構築とする手段とします。
【００３２】
また、ＰＤ線やＰＤ光学シートを手段として介在させるので、発電ユニットを日陰や物陰に配置して発電可能とする手段となっています。この手段を用いるので、ＰＤ発電ユニットを、液中に埋没させて配置することも、土中などに埋め込んで配置しても、ＰＤ線あるいは伝送ファイバーを集光器に接続できれば発電が可能となる構造を手段としており、従来技術では不可能な配置場所に配置できる手段となっています。
【００３３】
１枚のＰＤ光学シートの全体の形状は、円板状や円柱状や楕円状の板状や柱状などや矩形あるいは多角形の断面をした板状や柱状などを有し、各端面の形状はＶ字状の凹あるいはＶ字状の凸の形状を有し、１枚あるいは複数枚を連結させる構造を課題の解決手段とする。
【００３４】
１枚のＰＤ光学シートの全体の形状は、円板状や円柱状や楕円状の板状や柱状などや矩形あるいは多角形の断面をした板状や柱状などの形状を有し、各端面の形状はＶ字状の凹あるいはＶ字状の凸の形状を有し、凹部に凸部を嵌合させて複数枚を連結するＰＤ光学シートの構造を課題解決手段とする。
【００３５】
１枚のＰＤ光学シートの全体の形状は、矩形あるいは多角形の断面をした板状や柱状などの形状を有し、各端面の形状はＶ字状の凹あるいはＶ字状の凸の形状を有し、凹部に凸部を嵌合させて複数枚を連結するＰＤ光学シートを解決手段とする。
【００３６】
複数枚を連結して大きな１枚化させたＰＤ光学シートの最外周の各端面には、内面にミラー加工を施した端面カバーを配備してＰＤ光学シートの端面より内部に入光した光線を外部の漏らさない様にした特徴を解決手段とする。
【発明の効果】
【００３７】
本発明では、従来技術にはないＰＤ線やＰＤ光学シートを手段としているので、太陽電池を発電ユニットに用いるので、敷地全面に太陽電池を拡げる必要が無く、積層状に積み重ねても配置することが出来る効果を有している。
【００３８】
同様に、物陰の直射日光や照明光の当たらない場所にＰＤ発電ユニットを配置して、発電ができる効果を産み出しています。
【００３９】
さらには、ＰＤ発電ユニットを液中や土中などに埋没あるいは埋設しても発電が可能となる効果を産み出しています。
【００４０】
また、ＰＤ発電ユニットの配置場所と集光する場所を離して配置可能な効果を産み出しています。
【００４１】
容易に連結出来る連結構造により容易に大きな面積のＰＤ光学シートに構築が出来るようになり、多目的な用途に応用が可能なＰＤ光学シートとなった。
【図面の簡単な説明】
【００４２】
【図１】ＰＤ発電ユニット全体図（ＰＤ光学シート１枚は、ＰＤ１８図１ですよ。）
【図２】ＰＤ発電ユニット組み立て図（図１の組み立て図）
【図３】ＰＤ発電ユニットＣ−Ｃ断面図
【図４】ＰＤ線のＰＤ伝送部およびＰＤ放散部
【図５】ＰＤ光学シートの複数枚の全体図
【図６】図５のＦ−Ｆ断面図（嵌合前）
【図７】ＰＤ光学シートの連結図（図６の嵌合させた。）
【図８】ＰＤ光学シート  矩形タイプ
【図９】ＰＤ光学シート  円板タイプ
【図１０】ＰＤ光学シート  円柱タイプ
【図１１】ＰＤ発電ユニットの各種配置例  （集光器は特許文献１９の集光器を引用しています。）
【発明を実施するための形態】
【００４３】
本発明に使用のＰＤ線ならびにＰＤ光学シートは、先行文献１より１８に記載の各ＰＤ線ならびにＰＤ光学シートを応用する形態をしています。また、先行文献１９の集光器を一例として取り上げた形態をしています。
【００４４】
本発明のＰＤ発電ユニットは、太陽光や照明光などの光線により起電する発電ユニットであり、ＰＤ伝送部およびＰＤ放散部をそれぞれ少なくとも１カ所以上を有する各先行文献に記載のＰＤ線を少なくとも１本以上を構成要素とする特徴を有する形態をしています。
【００４５】
さらに、太陽光や照明光などの光線により起電する発電ユニットであり、ＰＤ光学シートを介在させ、ＰＤ光学シートより放散される太陽光や照明光を太陽電池などで受光して発電する特徴を有する形態をしています。
【００４６】
さらに、ＰＤ発電ユニットでは、介在するＰＤ光学シートの表面と光発電の太陽電池等の表面は、密着あるいは空隙を挟んで配置される特徴を有するる形態をしています。
【００４７】
さらに、ＰＤ発電ユニットでは、、少なくともＰＤ光学シートの１つ以上の端面に当該ＰＤ線を配置するＶ字状などの凹みを配備するＰＤ光学シートを少なくとも１枚以上を構成要素とする特徴を有する形態をしています。
【００４８】
さらに、ＰＤ発電ユニットでは、ＰＤ光学シートの各端面あるいは各端面と凹みに配備するＰＤ線を覆う内面側にミラー加工施工面を施した側面ケースを少なくとも１つの端面以上に配備し、また、ＰＤ光学シートの少なくとも表裏の一面以上をミラー加工施工面を施した表ケースあるいは裏ケースのいずれか１つ、あるいは双方を配備しない特徴を有する形態をしています。
【００４９】
ＰＤ発電ユニットでは、少なくとも１つ以上のＰＤ光学シートの表裏の少なくとも１面側あるいは表裏の双方側に光発電の太陽電池等を配備する特徴を有する形態をしています。
【００５０】
また、ＰＤ発電ユニットでは、構成要素のＰＤ光学シートは、内部に小さな粒や気泡と端面にはＰＤ線を配備するＶ字状の凹を同時に配備する構造に特徴を有する形態をしています。
【００５１】
さらに、本発明の太陽光などの光発電では、ＰＤ発電ユニットと太陽光や照明光などの光線を集光する集光部を有し、集光部とＰＤ発電ユニットは少なくとも１本以上のＰＤ伝送部同様の光ファイバーにて接続して、ＰＤ発電ユニットに太陽光や照明光などの光線を伝送する構造の特徴を有する形態をしています。
【００５２】
さらに、ＰＤ発電ユニットでは、太陽光あるいは照明光などの光線が照射される場所に集光器が配置される特徴を有する特徴を有する形態をしています。
【００５３】
さらに、ＰＤ発電ユニットでは、少なくとも一つ以上のＰＤ発電ユニットは、太陽光あるいは照明光などの光線が照射されることのない場所に配置される特徴を有し、その配置場所は、物陰や容器の中に配置可能な特徴を有し、さらに液体中に埋没させる配置場所や固体の中に埋め込んだ配置場所に配置可能な特徴を有する形態をしています。
【００５４】
さらに、ＰＤ発電ユニットでは、少なくとも一つ以上のＰＤ発電ユニットは、土中や構造物の壁内部などの光の到達不可能な場所に配置可能な構造を有する形態をしています。
【００５５】
ＰＤ発電ユニットでは、少なくとも一つ以上のＰＤ発電ユニットは、２層以上の積層状に積み重ねて配置できる構造を有する形態をしています。
【００５６】
さらに、本発明のＰＤ発電ユニットでは、集光器をガードレールやトンネルなどの表面や壁面に配備し、集光部はヘッドライトの光線を集光してＰＤ発電ユニットに光線を送る集光構造に特徴を有する形態をしています。
【００５７】
さらに、ＰＤ発電ユニットでは、ＰＤ発電ユニットの配置場所と集光する場所を離して配置可能な特徴を有する形態をしています。
【００５８】
さらに、ＰＤ発電ユニットでは、１枚のＰＤ光学シートの全体の形状は、円形や楕円形などや三角形や矩形等の多角形をした断面を有する板状あるいは柱状を有し、各端面の形状はＶ字状の凹あるいはＶ字状の凸の形状を有し、１枚あるいは複数枚を連結させたＰＤ光学シートをＰＤ発電ユニットの構成要素とする形態をしています。
【００５９】
さらに、ＰＤ発電ユニットでは、１枚のＰＤ光学シートの全体の形状は、円形や楕円形などや三角形や矩形等の多角形をした断面を有する板状あるいは柱状を有し、各端面の形状はＶ字状の凹あるいはＶ字状の凸の形状を有し、凹部に凸部を嵌合させて複数枚を連結するＰＤ光学シートをＰＤ発電ユニットの構成要素とする特徴を有する形態をしています。
【００６０】
さらに、ＰＤ発電ユニットでは、複数枚を連結して大きな１枚化させたＰＤ光学シートの最外周の各端面には、内面にミラー加工を施した端面カバーを配備してＰＤ光学シートの端面より内部に入光した光線を外部に漏らさない様にした特徴を有する形態をしています。
【００６１】
さらに、ＰＤ発電ユニットでは、構成要素のＰＤ光学シートは内部に小さな粒やバブル（気泡）を有し、端面にはＰＤ線を配備するＶ字状の凹部や連結用のＶ字状の凸部を有し、双方を、同時に配備する形態をしています。
【００６２】
さらに、ＰＤ発電ユニットでは、構成要素のＰＤ光学シートは表面に針先状の凹部を有し、端面にはＰＤ線を配備するＶ字状の凹部や連結用のＶ字状の凸部を有し、双方を、同時に配備する形態をしています。（表面に針先状の凹部は、ないぶの光線の一部を外部に漏出させる手段となっています。）
【００６３】
さらに、ＰＤ発電ユニットでは、構成要素のＰＤ光学シートは連結用のＶ字状の凸部を配備しない場合と、配備する側面が１つ以上を有する特徴を有する形態をしています。
【実施例】
【００６４】
本発明の実施例として、図１より図１１により説明します。図１は、ＰＤ発電ユニット全体図を図示しています。この図は、先行文献１８の図１を基に追加変更を加えております。次に、図２は、ＰＤ発電ユニット組み立て図を図示しています。図１の組み上げた図です。つぎに、図３は、ＰＤ発電ユニットＣ−Ｃ断面図です。図２のＣ−Ｃ断面を図示しています。次に、図４は、ＰＤ線のＰＤ伝送部およびＰＤ放散部を図示しています。先行文献１より１８にて記述説明しております。
【００６５】
次に、図５は、ＰＤ光学シートの複数枚の全体図を図示しています。本図では、説明の為に少々離して図示して居ますが、実際には図７の断面のように隙間無く嵌合されます。次に、図６は、図５のＦ−Ｆ断面図を図示しており、嵌合前の状態です。端面側の形状が分かりやすくなるように図示しています。次に、図７は、ＰＤ光学シートの連結図です。前記図６を嵌合させた状態です。
【００６６】
つぎに、図８は、ＰＤ光学シートの形状が矩形タイプの代表例を図示しております。次に、図９は、ＰＤ光学シートの形状が円板タイプの代表例を図示しています。つぎに、図１０は、ＰＤ光学シートの形状が円柱タイプを図示しています。
最後に、図１１は、ＰＤ発電ユニットの各種配置例を図示しています。
【００６７】
次に、各図面の詳細説明を記述します。図１のＵＮ１のＰＤ発電ユニット１は、１のＰＤ光学シートと３のＰＤ線（漏出させた光線が光源となります。）と７のＰＤ端子と２１より２５の側面ケースと８１の太陽電池８１と８５の太陽電池８５と１００の出力端子１００と１０１の出力端子１０１より構成されております。
【００６８】
つぎに、各部について説明します。
本発明のＰＤ発電ユニットＵＮ１は、太陽光や照明光などの光線により起電する発電ユニットであり、ＰＤ伝送部およびＰＤ放散部をそれぞれ少なくとも１カ所以上を有する各先行文献に記載のＰＤ線を少なくとも１本以上を構成要素とする特徴をしています。このＰＤ線１は、図４に図示しているように、７のＰＤ端子（先行文献参照）が片方の一端に設けられて、図１１に図示しているように８５０の太陽等の太陽光発電光源寄りの光線を７００の集光器により集光している。集光された光線は、集光器７００より７１０の伝送ファイバー（一般的な光ファイバーなど）によりＰＤ端子７を介して、ＵＮ１およびＵＮ２の ＰＤ発電ユニットのＰＤ線３に伝達される。集光器７００は、先行文献１９に記載の集光器を参照して用いております。其の他の集光器でも何の支障もないです。
【００６９】
ここで、図１では１本のＰＤ線を光学シートの一つの端面にのみ配備していますが、光学シートの他の端面にも引き回すことも当然ながら行います。さらに、ＰＤ光学シートの全周の端面の凹みにグルグル巻きに巻き付けても、さらに、複数本数のＰＤ線を同時に配備することも自由自在です。このような構造的な点も特徴の一つです。
【００７０】
この特徴に追随して、本発明のＰＤ発電ユニットでは、、少なくともＰＤ光学シートの１つ以上の端面に当該ＰＤ線を配置するＶ字状などの凹みを配備するＰＤ光学シートを少なくとも１枚以上を構成要素とする特徴を有しています。
【００７１】
ここで、図４よりＰＤ線３は、Ｊ の ＰＤ伝送部とＫのＰＤ放散部をそれぞれ少なくとも１カ所以上を有する形態をしております。２点鎖線は、２１より２５の側面ケースの内外境界を表しています。ＰＤ端子７より側面ケースに囲まれた内部に入るまではＰＤ線外にＰＤ線に入光した光線を外部に放散する必要のない部分であるので、ＰＤ伝送部となっています。２点鎖線の内部に入ると、ＰＤ光学シートのＰＤ線を配置するＶ字状などの凹みを配備された部分では、ＰＤ線に入光された光線の一部を漏出手段を講じてＰＤ線外に放散させて、当該光線をＶ字状などの凹み等の面よりＰＤ光学シートの内部に漏出光線を入光させるような構造となっています。また、Ｖ字状などの凹みに配備された部分では、ＰＤ放散部だけで無く、ＰＤ放散部とＰＤ伝送部を混在させるＰＤ線の使い方もあります。当然ながら、２１より２５の内面にはミラー加工を施して、ＰＤ光学シートの外へ出てくる光線を反射させて再度シート内部に入光させて光線を有効利用する構造となっています。
【００７２】
この構造のように、ＰＤ光学シートを介在させ、このＰＤ光学シートに入光した光線は、ＰＤ光学シートに講じた光線漏出手段によりＰＤ線同様にシートの外部に内部の光線を漏出させる構造であり、この構造によりシート外に漏出した光線が図１より図３に示すように、８１の太陽電池８１と８５の太陽電池８５の太陽電池セル９０により受光されて起電される。このような発電の全体構造が本発明のＰＤ発電ユニットの構造となっています。また、構成要素のＰＤ光学シートは、内部に小さな粒や気泡と端面にはＰＤ線を配備するＶ字状の凹を同時に配備する構造に特徴を有しています。（漏出手段は、先行文献参照のこと）
【００７３】
また、図３に示すＷは、ＰＤ光学シートの表面と光発電の太陽電池等の表面間の隙間は、空隙を配備しても空隙無しで密着させてもよい構造となっています。ＰＤ光学シートより放散される光線は、側面ケースのミラー加工による反射も含みシートの内部ではあらゆる方向をむいた光線となっています。また、シート外部に漏出させた光線が太陽電池表面で無駄に反射される光線を入光角によりますがシートの表面で反射して太陽電池セルに到達する光線もある上に、ミラー加工などにより反射されて再度シート外に放散される構造となっています。この構造により無駄に消滅する光線は殆ど無く、光線の有効利用の効率も良くなるＰＤ発電ユニットの構造で有ります。
【００７４】
また、図１より３の図より、本発明のＰＤ発電ユニットでは、少なくとも１つ以上のＰＤ光学シートの表裏の少なくとも１面側あるいは表裏の双方側に光発電の太陽電池等を配備する特徴を有しています。このことは、前述の一端集光した光線を伝送ファイバーでＰＤ発電ユニットに供給されて、ＰＤ光学シートが発電の光源となるので、ＰＤ光学シートの表裏側の双方に配置される太陽電池セル９０により起電されるので、太陽電池は太陽などに面する必要が無く、ＰＤ発電ユニットは、完全に密閉されても何の支障は無く無駄な空間を有しない構造です。また、図３に図示しているように外周被覆２００を施すことが可能です。    
【００７５】
当該外周被覆を施せるので、ＰＤ発電ユニットより外部に連絡するを伝送ファイバーと電力送電用の電線との引き出し部を封止できればどんな場所にもＰＤ発電ユニットを配備可能となっている。また、集光器と当該ユニットを離して配置できるので、耐熱性のあるガラス製を用いることにより、集光器のみを高温の溶鉱炉の吐出口付近の高温金属の発する白色光などを集光して発電の光線とすることも可能であります。（ガラスの融点も高温である利点を利用します。）
【００７６】
このことは、ＰＤ発電ユニットを配置出来る場所は、格段に向上しています。例えば、現状の敷地に架台を並べてその上に太陽電池を並べている太陽光発電の同一敷地内において、太陽電池の下部で架台の隙間にＰＤ発電ユニットを並べて、集光器を敷地の空いている部分に配備すれば補助的な発電も可能となります。
【００７７】
このように、ＰＤ発電ユニットでは、ＰＤ発電ユニットの配置場所と集光する場所を離して配置可能な特徴を有しているので、少なくとも一つ以上のＰＤ発電ユニットは、太陽光あるいは照明光などの光線が照射されることのない場所に配置されることも可能となり、物陰や容器の中に配置可能となりました。  さらに、液体中に埋没させる配置場所や固体の中に埋め込んだ配置場所に配置可能な特徴を有しています。
【００７８】
要するに、土中や構造物の壁内部などの光の到達不可能な場所に配置可能な構造を有をし、また、２層以上の積層状に積み重ねて配置できる構造を有しています（図１１のＵＮ１の ＰＤ発電ユニット１とＵＮ２の ＰＤ発電ユニット２を参照のこと）。    さらに、本発明のＰＤ発電ユニットでは、ガードレールやトンネルなどの表面や壁面に集光器を配備し、集光部はヘッドライトの光線を集光してＰＤ発電ユニットに光線を送る集光構造に特徴を有をしています。この構造により夜間の表示器などの電力となり事が出来ます。  また、図１１において７１０の伝送ファイバーが断線しても、電流が流れていないので、電線の短絡による火災の危険も皆無となっている特色も発揮しています。
【００７９】
さらに、図１１において図示しているように、本発明の太陽光などの光発電では、ＰＤ発電ユニットと太陽光や照明光などの光線を集光する集光部７００を有し、集光部とＰＤ発電ユニットは少なくとも１本以上のＰＤ伝送部同様の伝送ファイバー７１０を有し、この７１０は、一般的な光ファイバーにて接続して、ＰＤ発電ユニットに太陽光や照明光などの光線を伝送する構造の特徴を有しています。集光器７００の配備場所は、太陽光の下であったり、部屋内部で照明光を拾っても良い。さらに、１０００℃前後に溶融され金属の発する白色光などを放散する溶鉱炉の周辺で集光しても良い。現状全く回収されていないこのような場所に集光器７００を配備することも省エネルギーの一手段ともなり得ます。
【００８０】
また、図８および図９および図１０に各種のＰＤ光学シートの形状を図示しています。ＰＤ発電ユニットでは、１枚のＰＤ光学シートの全体の形状は、円形や楕円形などの断面を有する３０２の円板ＰＤ光学シートや３０３の円柱状ＰＤ光学シートや円錐状のＰＤ光学シートなどが有ります。さらに、三角形や３０１の矩形ＰＤ光シートのような矩形等の多角形を有する光学シートがあります。ここで、ＰＤ線を配備する凹みは、円柱や円錐状の外表面に螺旋状に凹みを配備することもあります。
【００８１】
また、各種の形状の光学シートにおいて、各端面の形状はＶ字状の凹あるいはＶ字状の凸の形状を有し、凹みと凸を嵌合させることにより、複数枚のＰＤ光学シートをを連結させる構造となっています。このように連結させることで大きな１枚状のＰＤ光学シートとして扱える構造となっています。実施例として、図５および図６および図７を参照して説明します。ここで、図５は、先行文献１８の図面に追加変更をしております。
【００８２】
図５は、全体図を図示しています。図６および図７の断面図を参照とした方が理解しやすいです。ここではＳＨ１のＰＤ光学シート１とＳＨ２のＰＤ光学シート２を嵌合させて１枚の大きなＰＤ光学シートを作る場合を実施例としています。この凹みと凸部を適宜の端面に配備することにより前後左右のＰＤ光学シートを作ることが容易に出来ます。この実施例は、ＳＨ１のＰＤ光学シート１には、３９の嵌合凸部を配備し、当該の凸部をＳＨ２のＰＤ光学シート２の凹み９に嵌合させる事により、Ｖ字状の凹みとＶ字状の凸部が嵌合することにより連結と同時にＳＨ１よりＳＨ２へ、あるいはＳＨ２よりＳＨ１へ内部の光線を伝達出来る構造にもなっています。
【００８３】
また、本発明のＰＤ発電ユニットでは、１枚のＰＤ光学シートの全体の形状は、円形や楕円形などや三角形や矩形等の多角形の断面を有した板状や柱状であり、各端面の形状はＶ字状の凹あるいはＶ字状の凸の形状を有し、凹部に凸部を嵌合させて複数枚を連結するＰＤ光学シートをＰＤ発電ユニットの構成要素とする特徴を有しています。  さらに、ＰＤ発電ユニットでは、複数枚のＰＤ光学シートを連結して大きな１枚化させたＰＤ光学シートの最外周の各端面には、内面にミラー加工を施した端面カバー２１より２５などを配備してＰＤ光学シートの端面より内部に入光した光線を外部の漏らさない様にした特徴を有しています。
【００８４】
以上により記載内容で不足点として、ＰＤ発電ユニットでは、構成要素のＰＤ光学シートは内部に小さな粒やバブル（気泡）を有し、端面にはＰＤ線を配備するＶ字状の凹部や連結用のＶ字状の凸部を有し、双方を同時に１枚のＰＤ光学シートに配備する場合もある特徴を有しています。  さらに、ＰＤ発電ユニットでは、構成要素のＰＤ光学シートは表面に針先状の凹部を有し、端面にはＰＤ線を配備するＶ字状の凹部や連結用のＶ字状の凸部を有し、双方を同時に配備する場合もある特徴を有しています。この表面に針先状の凹部は、内部に小さな粒やバブル（気泡）を配備して光線を漏出させる手段以外の手段とすることも出来る。  さらに、双方を併用もすることが出来る。（図面は先行文献に各種記載があるので省略します。）
【００８５】
さらに、ＰＤ発電ユニットでは、構成要素のＰＤ光学シートは連結用のＶ字状の凸部を配備しないで連結する手段も有ります。また、Ｖ字状の凸部を配備する側面が１つ以上を有する特徴を有しています。
【産業上の利用可能性】
【００８６】
以上に記述した内容により産業上の利用可能性を推察すると、本発明のＰＤ発電ユニットの構造は、さらに多くの産業上あるいは生活空間への多目的な応用例への応用の可能性を秘めています。
【００８７】
さらに、宇宙空間などにも応用可能です。
【００８８】
さらに、連結構造により、大面積を確保できる構造物の壁面などにも配置可能となっています。
【符号の説明】
【００８９】
１        ＰＤ光学シート
３        ＰＤ線（光源）
５        小さな粒や粒やバブルや合成樹脂粒
７        ＰＤ端子
９        ＰＤ線（光源）配備溝
２１      側面ケース
２２      側面ケース  
２３      側面ケース
２４      側面ケース
２５      側面ケース
３９      嵌合凸部        
８１      太陽電池  ８１
８５      太陽電池  ８５
９０      太陽電池セル
１００    出力端子１００
１０１    出力端子１０１  
２００    外周被覆
３０１    矩形ＰＤ光学シート
３０２    円板ＰＤ光学シート
３０３    円柱状ＰＤ光学シート
７００    集光器
７１０    伝送ファイバー
８００    ＰＤ発電ユニット群
８５０    太陽等の太陽光発電光源
Ｊ         ＰＤ伝送部
Ｋ      ＰＤ放散部
ＵＮ１   ＰＤ発電ユニット１
ＵＮ２   ＰＤ発電ユニット２
Ｗ     ＰＤ光学シートの表面と光発電の太陽電池等の表面間の隙間
ＳＨ１   ＰＤ光学シート１
ＳＨ２   ＰＤ光学シート２
【図１】
2020048413.tif 000003
【図２】
2020048413.tif 000004
【図３】
2020048413.tif 000005
【図４】
2020048413.tif 000006
【図５】
2020048413.tif 000007
【図６】
2020048413.tif 000008
【図７】
2020048413.tif 000009
【図８】
2020048413.tif 000010
【図９】
2020048413.tif 000011
【図１０】
2020048413.tif 000012
【図１１】
2020048413.tif 000013